(57)【要約】      （修正有）【課題】フィルム画像をデジタルデータに転換する装置を提供する。【解決手段】フィルム画像をデジタルデータに転換する装置は主体１、フレーム体２、底サポートフレーム３、底蓋４を含む。フレーム体２は底サポートフレーム３の上部に結合し、全体は主体１内に設置し、底蓋４は下方から組合せ封鎖する。フレーム体２の上部には撮影レンズ５１を設置し、底サポートフレーム３内にはバックライト機構３を設置する。主体１の両側にはそれぞれ長槽１１，１２を設置し、これによりフィルムクリップを片側から挿入することができる。該フィルムクリップはフィルムを内部に固設することができ、バックライト機構３１の上方に定位し、撮影レンズ５１を利用しフィルムの画像を取り込み、デジタルデータに転換し、またコンピュータに伝送し保存することもできる。こうしてフィルム上の画像を迅速にデジタルデータに転換することができる。【選択図】図２
0003144616.tif 000002
【実用新案登録請求の範囲】
【請求項１】
主体、フレーム体、底サポートフレーム、底蓋を含み、
該フレーム体の上部には撮影レンズを組み合わせた回路板を設置し、
該底サポートフレームは該フレーム体の下部に結合し、その内部にはバックライト機構を設置し、片側には定位係合物を設置し、該フレーム体と該底サポートフレームは該主体内部に設置し、
該底蓋は下部から結合し固定し、
該主体の両側と該底蓋間には相互に通じる２個の長槽を形成し、該フレーム体内の相対位置において、入口防塵門及び出口防塵門をそれぞれ設置し、フィルムクリップを入口端から入れ、こうしてその内のフィルムは撮影レンズにより撮影、取り込まれ、処理を経てデジタルデータに転換され、保存されることを特徴とするフィルム画像をデジタルデータに転換する装置。
【請求項２】
前記回路板には接続線を結合し外部へと延伸し、該接続線の外端はコネクターで、コンピュータ本体と接続し、これによりデジタルデータを伝送し、修正及び保存が可能であることを特徴とする請求項１記載のフィルム画像をデジタルデータに転換する装置。
【請求項３】
前記フィルムクリップはポジティブフィルムを挟持するポジティブフィルムクリップで、下ケース、上ケースを含み、片側において相互に可動接続し、反対側は該上ケースの係合フックにより、該下ケースの嵌合部に対応し、簡単に開閉可能な構造を形成し、
該下ケース及び該上ケースの相対位置には、数個の方形開口をそれぞれ設置し、該下ケースの内部には数個の陥没部を形成し、ポジティブフィルムをその中に入れ、該上、下ケースを蓋合し固定し、これにより該ポジティブフィルムは該方形開口にフォーカシングし、
該下ケースの外側下縁には数個の定位孔を設置することを特徴とする請求項１記載のフィルム画像をデジタルデータに転換する装置。
【請求項４】
前記フィルムクリップはネガティブフィルムを挟持するネガティブフィルムクリップで、下ケース、上ケースを含み、片側において相互に可動接続し、反対側は該上ケースの係合フックにより、該下ケースの嵌合部に対応し、簡単に開閉可能な構造を形成し、
該下ケースの内部に数個の凸柱を設置し、一般のネガティブフィルム両側の小孔を係合定位し、該上ケース及び該下ケースはより多くの方形開口を備え、
該下ケースの片側下縁には多数の定位孔を設置することを特徴とする請求項１記載のフィルム画像をデジタルデータに転換する装置。
【請求項５】
前記フレーム体上にはスイッチと回路を設置し、該主体上部に設置するボタンに対応し、該ボタンを押すことで、撮影の動作を起動することを特徴とする請求項１記載のフィルム画像をデジタルデータに転換する装置。
【考案の詳細な説明】
【技術分野】
【０００１】
本考案はフィルム画像をデジタルデータに転換する装置に関する。特に単一の主体により、内部のバックライト機構を撮影レンズに対応させ、簡易な操作により、フィルム上の画像を迅速にデジタルデータに転換可能で、コンピュータ上に伝送し、その画像の保存と修正に便利であるフィルム画像をデジタルデータに転換する装置に係る。
【背景技術】
【０００２】
これまでの画像を記録する方式は主に、伝統的なカメラの内部に感光フィルム(ポジティブ或いはネガティブ)を設置し、画像を撮影し、フィルムを現像し公知の写真とするものであった。この公知のフィルムはプラスチック材質であるため、保存は容易ではない。ある一定の時間を経ると損壊或いは遺失し易く、もともと保存していた画像を現像することはできないため、使用者はしばしば残念な思いをする。さらに、公知のフィルムに保存されている画像もまた固定状態であるため、修正できず、これも使用上の欠点であり、改良が待たれている。
【考案の開示】
【考案が解決しようとする課題】
【０００３】
本考案が解決しようとする課題は、フィルム上の画像を迅速にデジタルデータに転換可能で、よって長期間保存することができ、しかもコンピュータ上で簡単に修正することができ、公知の欠点を解決することができるフィルム画像をデジタルデータに転換する装置を提供することである。
【課題を解決するための手段】
【０００４】
請求項１の考案は、主体、フレーム体、底サポートフレーム、底蓋を含み、
該フレーム体の上部には撮影レンズを組み合わせた回路板を設置し、
該底サポートフレームは該フレーム体の下部に結合し、その内部にはバックライト機構を設置し、片側には定位係合物を設置し、該フレーム体と該底サポートフレームは該主体内部に設置し、
該底蓋は下部から結合し固定し、
該主体の両側と該底蓋間には相互に通じる２個の長槽を形成し、該フレーム体内の相対位置において、入口防塵門及び出口防塵門をそれぞれ設置し、フィルムクリップを入口端から入れ、こうしてその内のフィルムは撮影レンズにより撮影、取り込まれ、処理を経てデジタルデータに転換され、保存されることを特徴とするフィルム画像をデジタルデータに転換する装置としている。
請求項２の考案は、前記回路板には接続線を結合し外部へと延伸し、該接続線の外端はコネクターで、コンピュータ本体と接続し、これによりデジタルデータを伝送し、修正及び保存が可能であることを特徴とする請求項１記載のフィルム画像をデジタルデータに転換する装置としている。
請求項３の考案は、前記フィルムクリップはポジティブフィルムを挟持するポジティブフィルムクリップで、下ケース、上ケースを含み、片側において相互に可動接続し、反対側は該上ケースの係合フックにより、該下ケースの嵌合部に対応し、簡単に開閉可能な構造を形成し、
該下ケース及び該上ケースの相対位置には、数個の方形開口をそれぞれ設置し、該下ケースの内部には数個の陥没部を形成し、ポジティブフィルムをその中に入れ、該上、下ケースを蓋合し固定し、これにより該ポジティブフィルムは該方形開口にフォーカシングし、
該下ケースの外側下縁には数個の定位孔を設置することを特徴とする請求項１記載のフィルム画像をデジタルデータに転換する装置としている。
請求項４の考案は、前記フィルムクリップはネガティブフィルムを挟持するネガティブフィルムクリップで、下ケース、上ケースを含み、片側において相互に可動接続し、反対側は該上ケースの係合フックにより、該下ケースの嵌合部に対応し、簡単に開閉可能な構造を形成し、
該下ケースの内部に数個の凸柱を設置し、一般のネガティブフィルム両側の小孔を係合定位し、該上ケース及び該下ケースはより多くの方形開口を備え、
該下ケースの片側下縁には多数の定位孔を設置することを特徴とする請求項１記載のフィルム画像をデジタルデータに転換する装置としている。
請求項５の考案は、前記フレーム体上にはスイッチと回路を設置し、該主体上部に設置するボタンに対応し、該ボタンを押すことで、撮影の動作を起動することを特徴とする請求項１記載のフィルム画像をデジタルデータに転換する装置としている。
【考案の効果】
【０００５】
上記のように、本考案はポジティブフィルム、或いはネガティブフィルムを迅速かつ簡単にデジタルデータに転換することができ、修正或いは保存を提供することができる。よって実用性を備え、実用新案登録の要件に符合している。
【考案を実施するための最良の形態】
【０００６】
図１〜図３に示すように、本考案は主体１、フレーム体２、底サポートフレーム３、底蓋４を含む。該フレーム体２の上部には撮影レンズ５１を組み合わせた回路板５を設置する。該底サポートフレーム３は該フレーム体２の下部に結合し、その内部にはバックライト機構３１を設置し、片側には定位係合物３２を設置し、該フレーム体２と該底サポートフレーム３は該主体１内部に設置する。該底蓋４は下部から結合し固定する。該主体１の両側と該底蓋４間には相互に通じる長槽１１、１２を形成し、該フレーム体２内の相対位置において、バネを利用し定位する入口防塵門２１及びプルバネ２２を結合する出口防塵門２３をそれぞれ設置する。さらに接続線１３を結合し、内部回路はコネクター１３１によりコンピュータ本体に接続される。該フレーム体２上にはスイッチ２４を設置し、該主体１上部のボタン１４に対応し操作と制御の動作を行う。
【０００７】
図４、図６に示すように、本考案はさらにポジティブフィルムクリップ６を対応実施する。該ポジティブフィルムクリップ６は下ケース６１、上ケース６２を含み、片側において相互に可動接続し、反対側は該上ケース６２の係合フック６２１により、該下ケース６１の嵌合部６１１に対応し、簡単に開閉可能な構造を形成する。該下ケース６１及び該上ケース６２の相対位置には、数個の方形開口６１２、６２２をそれぞれ設置する。該下ケース６１の内部には数個の陥没部６１３を形成し、ポジティブフィルム６３をその中に入れ、上、下ケース６２、６１を蓋合し固定することができる。これにより該ポジティブフィルム６３は該方形開口６１２、６２２にフォーカシングする。また該下ケース６１の外側下縁には数個の定位孔６１４を設置する。図５、図７に示すように、ネガティブフィルムクリップ７と該ポジティブフィルムクリップ６の外部構造は相似している。主に下ケース７１の内部に数個の凸柱７１３を設置し、一般のネガティブフィルム７３両側の小孔７３１を係合定位する。上ケース７２及び該下ケース７１はより多くの方形開口７２１、７１１を備える。また該下ケース７１の片側下縁には多数の定位孔７１４を設置する。
【０００８】
図８ではネガティブフィルム７３を例とし説明する。図に示すように、使用時には該ネガティブフィルム７３を挟持したネガティブフィルムクリップ７を該主体１の入口長槽１１から挿入し、こうしてある方形開口内のフィルムは該撮影レンズ５１にフォーカシングする。この時、該定位係合物３２はちょうど該定位孔７１４と相互に係合し、安定的に定位することができる。続いて、コンピュータにより、接続線１３を通した制御或いは直接ボタン１４を押すことで、該バックライト機構３１を起動し光線を発しネガティブフィルム７３に投射させることができる。該撮影レンズ５１が画像を撮影取り込み後、プログラムにより処理し、デジタルデータに転換し、さらにコンピュータに伝送し、修正或いは保存を行うことができる。続いて、該ネガティブフィルムクリップ７を再び押し出口端へと移動させ、次のネガティブフィルム７３の画像取得を行う。
【０００９】
同一ネガティブフィルムクリップ７のネガティブフィルム７３の撮影、取り込み、転換をすべて行うと、該ネガティブフィルムクリップ７を出口長槽１２端から取り出し、内部のネガティブフィルム７３を交換する。こうして上記操作を継続し、スピーディーに完成することができる。ポジティブフィルム６３に対する操作も相同であり、同様に非常に簡単に行うことができる。すなわち、本考案はポジティブフィルム６３、或いはネガティブフィルム７３を迅速かつ簡単にデジタルデータに転換することができ、修正或いは保存を提供することができる。よって実用性を備え、実用新案登録の要件に符合している。
【図面の簡単な説明】
【００１０】
【図１】本考案の立体外観図である。
【図２】本考案の立体分解図である。
【図３】本考案の組合せ断面平面図である。
【図４】本考案のポジティブフィルムクリップの立体図である。
【図５】本考案のネガティブフィルムクリップの立体図である。
【図６】図４を開いた後の立体図である。
【図７】図５を開いた後の立体図である。
【図８】本考案転換実施時の構造状態図である。
【図９】図８の別の角度の部分断面図である。
【符号の説明】
【００１１】
１  主体
１１、１２  長槽
１３  接続線
１３１  コネクター
１４  ボタン
２  フレーム体
２１  入口防塵門
２２  プルバネ
２３  出口防塵門
２４  スイッチ
３  底サポートフレーム
３１  バックライト機構
３２  定位係合物
４  底蓋
５  回路板
５１  撮影レンズ
６  ポジティブフィルムクリップ
６１  下ケース
６１２  方形開口
６１３  陥没部
６１４  定位孔
６２  上ケース
６２１  係合フック
６２２  方形開口
６３  ポジティブフィルム
７  ネガティブフィルムクリップ
７１  下ケース
７１１  方形開口
７１４  定位孔
７３  ネガティブフィルム
７３１  小孔
７２  上ケース
７２１  方形開口
【図１】
0003144616.tif 000003
【図２】
0003144616.tif 000004
【図３】
0003144616.tif 000005
【図４】
0003144616.tif 000006
【図５】
0003144616.tif 000007
【図６】
0003144616.tif 000008
【図７】
0003144616.tif 000009
【図８】
0003144616.tif 000010
【図９】
0003144616.tif 000011